(57)【特許請求の範囲】
【請求項１】
商用電源から電気自動車のバッテリに電流を供給する充電器において、
充電器の充電作動情報を表示するための発光部と、
外部機器と近距離無線通信を行うための通信部と、
前記発光部の可視光線を案内するガイドと、
前記発光部及び通信部の作動を制御する制御部と、を含み、
前記ガイドは、可視光線を前記ガイドの内側に反射するように外側の一部を囲む反射層を含み、
前記通信部は、近距離無線通信用電磁波を送信する送信素子と、近距離無線通信用電磁波を受信するための受信素子を含み、
前記ガイドは、前記送信素子から放出されるか前記受信素子に流入される近距離無線通信用電磁波をガイドする、電気自動車用充電器。
【請求項２】
前記ガイドは、
上下に延長されて下端が前記送信素子又は前記受信素子の上部に位置する第１案内部と、
前記第１案内部の上端から傾斜して上方に向かって延長される連結部と、
前記連結部から上方に向かって延長されて前記発光部の上部に位置する第２案内部と、を含む、請求項１に記載の電気自動車用充電器。
【請求項３】
前記ガイドは、
前記第１案内部の下部に具備される第１光出入口と、
前記第２案内部の下部に具備される第２光出入口と、
前記第２案内部の上部に具備される第３光出入口と、を含み、
前記第１光出入口、前記第２光出入口、前記第３光出入口のうち少なくともいずれか一つには前記反射層が具備されない、請求項２に記載の電気自動車用充電器。
【請求項４】
前記第１光出入口を介して前記送信素子からの近距離無線通信用電磁波が入射されるか受信素子に可視光線が照射され、
前記第２光出入口を介して前記発光部から照射される可視光線が入射され、
前記第３光出入口を介して送信素子からの近距離無線通信用電磁波又は発光部からの可視光線が放出されるか、外部からの可視光線が入射される、請求項３に記載の電気自動車用充電器。
【請求項５】
前記第１案内部と前記第２案内部は互いにオフセットされて延長される、請求項４に記載の電気自動車用充電器。
【請求項６】
前記ガイドは、
前記送信素子から送信される電磁波をガイドする第１ガイドと、
前記受信素子に受信される電磁波をガイドする第２ガイドと、を含み、
前記第１ガイドの連結部と前記第２ガイドの連結部は上部に行くほど次第に遠くなる、請求項５に記載の電気自動車用充電器。
【請求項７】
前記発光部は、互いに離隔されて位置する第１発光部と第２発光部を含み、
前記送信素子及び前記受信素子は前記第１発光部と前記第２発光部との間に位置する、請求項６に記載の電気自動車用充電器。
【請求項８】
前記近距離無線通信用電磁波は赤外線である、請求項７に記載の電気自動車用充電器。
【請求項９】
前記ガイドは、前記第１案内部、連結部又は第２案内部のうちいずれか一つから前記発光部に向かって延長される第３案内部を更に含む、請求項８に記載の電気自動車用充電器。
【請求項１０】
前記第１案内部の延長方向と前記第３案内部の延長方向は同じである、請求項９に記載の電気自動車用充電器。
【発明の詳細な説明】
【技術分野】
【０００１】
本発明は、電気自動車用充電器に関するものである。
【背景技術】
【０００２】
電気自動車とは電気を使用して運行される自動車を意味するものであって、大きく純粋電気自動車（Ｂａｔｔｅｒｙ  ｐｏｗｅｒｅｄ  Ｅｌｃｔｒｉｃ  Ｖｅｈｉｃｌｅ）とハイブリッド電気自動車（Ｈｙｂｒｉｄ  Ｅｌｅｃｔｉｒｃ  Ｖｅｈｉｃｌｅ）とで区分される。
【０００３】
ここで、純粋電気自動車とは電気のみを使用して走行するものであって、一般に電気自動車と称される。そして、ハイブリッド電気自動車とは電気及び化石燃料を使用して走行するものを意味する。そして、このような電気自動車には走行のための電気を供給するバッテリが具備される。特に、純粋電気自動車及びハイブリッド電気自動車のうちコンセントイン（ｐｌｕｇ−ｉｎ）タイプのハイブリッド電気自動車の場合、バッテリが外部の電源から供給される電流によって充電されて電気モーターを駆動する。
【０００４】
一方、電気自動車の充電のための充電器のうちコードセットタイプの充電器の場合、商用電源を使用して電気自動車を充電する。そのためにコードセットタイプの充電器は、家庭やオフィスなどに具備されるコンテント及び電気自動車に連結されて電気自動車に電力を供給する。
【０００５】
従来の充電器は、充電の際の状態をディスプレーするためのディスプレー部のみを具備していた。よって、充電器の故障の際に故障の原因を診断することができないか、ファームウェアをアップデートすることができない問題点があった。
【０００６】
このような問題は、診断装置やファームウェアをアップグレードするための機器を連結するためのポートを充電器に形成すると解決される。ところが、充電器の場合には義務的に要求される防水性能を確保すべきであるが、別途のポートが充電器に形成される場合には防水性能を確保するための追加的な構成が必要な問題がある。
【０００７】
また、通信のためのポートが別途に形成されているため、悪意的なユーザが充電器内部のプログラムを変更するか損傷する恐れがある。
【発明の概要】
【発明が解決しようとする課題】
【０００８】
本発明は、電気自動車用充電器に関するものである。
【０００９】
本発明の目的は、防水性能を確保するための追加的な構成を必要とせずに外部機器と通信することができる電気自動車用充電器を提供することにある。
【００１０】
また、外部機器と近距離無線通信を行う通信部を効率的に構成し、空間活用を極大化して通信性能を向上させることを目的とする。
【課題を解決するための手段】
【００１１】
本発明の一実施例による電気自動車用充電器は、商用電源から電気自動車のバッテリに電流を供給する充電器において、前記充電器の充電作動情報を表示するための発光部と、外部機器と近距離無線通信を行うための通信部と、前記発光部の可視光線を案内するガイドと、前記発光部及び通信部の作動を制御する制御部と、を含み、前記ガイドは可視光線を前記ガイドの内側に反射するように外側の一部を囲む反射層を含む。
【００１２】
提案される発明によると、充電器が外部機器と赤外線通信を行うことができるため前記外部機器で充電器の診断を行うことができ、前記充電器は外部機器からファームウェアをアップグレードするための情報を受信して前記充電器のファームウェアをアップグレードすることができる。
【００１３】
また、前記充電器の外部に別途のポートが露出されず、赤外線通信などの近距離無線通信のために外部機器と通信することができるため、前記充電器の防水性能を確保するための追加的な構成を必要としない長所があるだけでなく、外部にポートが露出されなくなって悪意的なユーザの通信のための接近が不可能な長所がある。
【００１４】
また、発光部の可視光線を案内するためのガイドが赤外線を案内する役割をするため、赤外線を案内するための追加的なガイドを必要としない長所がある。
【００１５】
また、前記ガイドが外側を囲む反射層を含むため光伝達効率を向上させることができる。
【００１６】
また、反射層が光出入口には具備されないため、近距離無線通信に利用される赤外線又は発光部から放出される可視光線の移動を制限しないながらも光伝達効率を向上させることができる。
【図面の簡単な説明】
【００１７】
【図１】本発明の一実施例による電気自動車用充電器の斜視図である。
【図２】本発明の一実施例による電気自動車用充電器のブロック図である。
【図３】本発明の一実施例による電気自動車用充電器の本体の内部構成を概略的に示す図である。
【図４】ガイドの一例の側断面図である。（ａ）は、第１ガイドの側断面図である。（ｂ）は、第２ガイドの側断面図である。
【図５】ガイドの他の例の側断面図である。（ａ）は、第１ガイドの他の例の側断面図である。（ｂ）は、第２ガイドの他の例の側断面図である。
【図６】図５の側断面図である。（ａ）は、図５（ａ）の側断面図である。（ｂ）は、図５（ｂ）の側断面図である。
【発明を実施するための形態】
【００１８】
以下、本発明による電気自動車用充電器を添付した図面を参照してより詳細に説明する。
【００１９】
図１は本発明の一実施例による電気自動車用充電器の斜視図であり、図２は本発明の一実施例による電気自動車用充電器のブロック図である。
【００２０】
図１及び図２を参照すると、本実施例による電気自動車用充電器１０（以下、「充電器」）はコードセットタイプの充電器である。
【００２１】
充電器１０は、充電器本体１１０と、充電器本体１１０と連結されて商用電源に連結される第１コネクタ１４０と、充電器本体１１０と連結されて電気自動車に連結される第２コネクタ１５０を含む。
【００２２】
第１コネクタ１４０が商用電源に連結されて第２コネクタ１５０が電気自動車に連結されると、商用電源から供給される電流が充電器１０を介して電気自動車のバッテリに伝達される。
【００２３】
充電器本体１１０は、発光部１２０と通信部１３０及び制御部１１２を含む。制御部１１２は発光部１２０と通信部１３０の作動を制御する。
【００２４】
発光部１２０は充電器１０の動作、即ち、充電動作に関する情報を表示する。例えば、発光部１２０は充電動作に応じて相異なる色相の光を発生する多数個の発光ダイオードを含む。ここで、発光ダイオードを介して発光される光は可視光線である。
【００２５】
通信部１３０は、充電器１０を診断するための診断装置又は充電器１０のファームウェアをアップグレーとするためのアップグレード装置のような外部機器２０の通信部２１０と通信する。
【００２６】
通信部１３０，２１０は一例として光を利用して通信を行う。即ち、通信部１３０，２１０は赤外線通信を行う。
【００２７】
図３は、本発明の一実施例による電気自動車用充電器の本体の内部構成を概略的に示す図である。
【００２８】
図３を参照すると、充電器本体１１０は外形を成すケーシング１１１と、ケーシング１１１の内部に具備される発光部１２０及び通信部１３０を含む。また、可視光線をガイドする複数のガイド１２５，１２６，１２７を含む。
【００２９】
充電器本体１１０を形成するそれぞれの構成をより詳しく説明すると、まず、発光部１２０は複数の発光ダイオード１２１，１２２，１２３を含む。例えば、第１発光ダイオード１２１と、第２発光ダイオード１２２と、第３発光ダイオード１２３を含む。本発明で発光部を構成する発光ダイオードの個数には制限がないことを明らかにし、本発明では一例として発光部が３つである発光ダイオードを含むことについて説明する。
【００３０】
各発光ダイオード１２１，１２２，１２３はプリント回路基板１２４に設置される。
【００３１】
例示的に、第１発光ダイオード１２１は充電動作中である際にターンオン（ｔｕｒｎ  ｏｎ）されてもよい。第１発光ダイオード１２１は緑色の可視光線を発光する。
【００３２】
第２発光ダイオード１２２は、充電動作が完了された場合にターンオンされる。第２発光ダイオード１２２は黄色の可視光線を発光する。
【００３３】
第３発光ダイオード１２３は、充電動作が中止された場合にターンオンされる。第３発光ダイオード１２３赤色の可視光線を発光する。
【００３４】
本明細書において、各発光ダイオードの発光色及び各発光ダイオードがオン（ｏｎ）される際の表示情報は変更可能である。
【００３５】
ここで、「充電動作の完了」とは、電気自動車のバッテリの充電が完了された場合又は第１及び第２コネクタ１４０，１５０が分離された場合のように、商用電源から電気自動車への電流の供給が完全に終了された場合を意味する。
【００３６】
そして、「充電動作の中止」とは、商用電源から電気自動車への電流の供給が遮断された場合を意味する。実質的に、「充電動作の完了」とは、商用電源から電気自動車への電流の供給が遮断された場合のうち「充電動作の中止」を除く残りの場合を意味するともいえる。
【００３７】
一方、通信部１３０はケーシング１１１の内部に具備されるプリント回路基板１２４に設置される。通信部１３０は送信素子１３１と受信素子１３２を含む。
【００３８】
通信部１３０は多数の発光ダイオード１２１，１２２，１２３のうち隣接する２つの発光ダイオードの間に位置する。例示的に、図３には第１発光ダイオード１２１と第２発光ダイオード１２２との間に通信部１３０が位置することが図示される。
【００３９】
通信部１３０と第１発光ダイオード１２１及び第２発光ダイオード１２２は光の干渉がないように水平方向に離隔される。即ち、上部又は下部から見ると、通信部１３０と第１発光ダイオード１２１及び第２発光ダイオード１２２は互いに重畳されずに離隔されて配置される。
【００４０】
ガイド１２５，１２６，１２７が発光ダイオード１２１，１２２，１２３の光の移動、即ち、可視光線の移動を案内する役割をする。
【００４１】
ガイド１２５，１２６，１２７は、第１発光ダイオード１２１の可視光線を案内する第１ガイド１２５と、第２発光ダイオード１２２の可視光線を案内する第２ガイド１２６と、第３発光ダイオード１２３の可視光線を案内する第３ガイド１２７を含む。各ガイド１２５，１２６，１２７は各発光ダイオード１２１，１２２，１２３と上下方向に離隔されて配置され、サポータ１２３によってケーシング１１１に固定される。
【００４２】
第１ガイド１２５と第２ガイド１２６は第１発光ダイオード１２１及び第２発光ダイオード１２２から放出される可視光線をガイドする役割以外にも、近距離無線通信のための電磁波を案内する役割を共にしてもよい。
【００４３】
近距離無線通信技術には赤外線通信、（ＩｒＤＡ）、ジグビー（ＺｉｇＢｅｅ）、ブルートゥース（Ｂｌｕｅｔｏｏｔｈ）、無線ＬＡＮ、ＵＷＢ（Ｕｌｔｒａ  ＷｉｄｅＢａｎｄ）などがあるが、実施例では近距離無線通信技術として赤外線通信を例に挙げて説明する。しかし、それに限ることはない。ちなみに、光は電磁波の一種として理解される。
【００４４】
一方、近距離無線通信として赤外線通信が使用される場合、近距離無線通信のためにガイドによって案内される電磁波は赤外線となる。光とは広い意味の電磁波の一部分であり、赤外線とは特定波長を有する光を意味する。
【００４５】
本実施例において、送信素子１３１と受信素子１３２それぞれに対応する近距離無線通信用電磁波、即ち、赤外線を案内するために２つ以上のガイドが要求される。よって、本実施例の充電器は多数のガイドを含み、多数のガイドのうち一部又は全部が赤外線をガイドすると説明される。
【００４６】
詳しくは、第１ガイド１２５と第２ガイド１２６は互いに隣接して配置される。又は、第１ガイド１２５と第２ガイド１２６は互いに左右に対称に形成される。
【００４７】
第１ガイド１２５は送信素子１３１内で発生した近距離無線通信用電子波（赤外線）を外部機器２０に案内し、第２ガイド１２６は外部機器２０から送信した近距離無線通信用電磁波（赤外線）を受信素子１３１に案内する。
【００４８】
図３を参照すると、第１ガイド１２５は上下方向に延長される第１案内部１２５Ａと、第１案内部１２５Ａから傾斜して上方に延長される連結部１２５Ｂと、連結部１２５Ｂから上下方向に延長される第２案内部１２５Ｃを含む。より詳しく説明すると、連結部１２５Ｂは第１案内部１２５Ａの上端から傾斜して上方に向かって延長され、第２案内部１２５Ｃは連結部１２５Ｂの上端から上方に向かって延長される。
【００４９】
連結部１２５Ｂが傾斜して具備されることで、第１案内部１２５Ａと第２案内部１２５Ｃは上部又は下部から見ると重畳されない。即ち、第１案内部１２５Ａの延長方向と第２案内部１２５Ｃの延長方向は互いにオフセット（ｏｆｆｓｅｔ）される。
【００５０】
一方、第２ガイド１２６は上下方向に延長される第１案内部１２６Ａと、第１案内部１２６Ａから傾斜して上方に延長される連結部１２６Ｂと、連結部１２６Ｂから上下方向に延長される第２案内部１２６Ｃを含む。より詳しく説明すると、連結部１２６Ｂは第１案内部１２６Ａの上端から傾斜して上方に向かって延長され、第２案内部１２６Ｃは連結部１２６Ｂの上端から上方に向かって延長される。
【００５１】
連結部１２６Ｂが傾斜して具備されることで、第１案内部１２６Ａと第２案内部１２６Ｃは一部又は全部が上下方向に重畳されない。即ち、第１案内部１２６Ａの延長方向と第２案内部１２６Ｃの延長方向は互いにオフセットされる。
【００５２】
この際、第１ガイド１２５の連結部１２５Ｂと、第２ガイド部１２６の連結部１２６Ｂは図３に示したように上部に行くほど互いに遠くなる方向に傾斜して延長される。よって、第１ガイド１２５の第１案内部１２５Ａと第２ガイド１２６の第１案内部１２６Ａの間の距離は、第１ガイド１２５の第２案内部１２５Ｃと第２ガイド１２６の第２案内部１２６Ｃの間の距離より短い。
【００５３】
一方、本実施例において、上下方向は発光ダイオードにおける可視光線の照射方向と同じ方向である。よって、発光ダイオードの位置に応じて可視光線の照射方向が左右方向であってもよい。
【００５４】
図４はガイドの一例の側断面図であって、図４（ａ）は第１ガイド１２５の側断面図であり、図４（ｂ）は第２ガイド１２６の側断面図である。
【００５５】
第１ガイド１２５及び第２ガイド１２６の内部には反射層１２５Ｒ，１２６Ｒが具備される。反射層１２５Ｒ，１２６Ｒはガイド部に流入された可視光線をガイド部の内側に反射させる役割をする。この反射層１２５Ｒ，１２６Ｒが具備されることで、一側端部に入射される可視光線の最大限多くの量が反対側の端部を介して放出される。より詳しくは、第１ガイド１２５及び第２ガイド１２５の下端に入射される可視光線の最大限多くの量が上端を介して放出される。即ち、可視光線が移動途中にガイド１２５，１２６の側面に放出されることを最大限防止する役割をする。
【００５６】
一方、第１ガイド１２５には光出入口１２５Ｅ，１２５Ｆ，１２５Ｇが具備され、この光出入口には反射層１２５Ｒ，１２６Ｒが具備されない。また、第２ガイド１２６にも光出入口１２６Ｅ，１２６Ｆ，１２６Ｇが具備され、この光出入口１２６Ｅ，１２６Ｆ，１２６Ｇには反射層が具備されない。光出入口は反射層１２５Ｒ，１２６Ｒの一部が切開されて形成されると理解されてもよい。
【００５７】
よって、第１ガイド１２５及び第２ガイド１２６では光出入口１２５Ｅ，１２５Ｆ，１２５Ｇ，１２６Ｅ，１２６Ｆ，１２６Ｇが具備されない部分のうち少なくも一部が反射層１２５Ｒ，１２６Ｒによって囲まれ、反射層１２５Ｒ，１２６Ｒは光出入口１２５Ｅ，１２５Ｆ，１２５Ｇ，１２６Ｅ，１２６Ｆ，１２６Ｇが具備されない領域をできるだけ広くカバーするように具備することが好ましい。
【００５８】
第１ガイド１２５において、光出入口は第１案内部１２５Ａの下端に具備される第１光出入口１２５Ｅと、第１案内部１２５Ａと連結部が当たる地点の下方に具備される第２光出入口１２５Ｆと、第２案内部１２５Ｂの上端に具備される第３光出入口１２５Ｇを含む。
【００５９】
また、第２ガイド１２６において、光出入口は第１案内部１２６Ａの下端に具備される第１光出入口１２６Ｅと、第１案内部１２６Ａと連結部が当たる地点の下方に具備される第２光出入口１２６Ｆと、第２案内部１２６Ｂの上端に具備される第３光出入口１２６Ｇを含む。
【００６０】
第１ガイド１２５及び第２ガイド１２６において、それぞれの第１光出入口１２５Ｅ，１２６Ｅは送信素子１３１から近距離無線通信のための電磁波が流入されるか、受信素子１３２に近距離無線通信のための電磁波が放出される部分である。よって、第１光出入口１２５Ｅ，１２６Ｅは送信素子１３１又は受信素子１３２の上部に離隔されて位置する。より詳しくは、鉛直上方に離隔されて位置する。ここで、近距離無線通信のための電磁波は上述したように赤外線である。
【００６１】
即ち、第１ガイド１２５の第１光出入口１２５Ｅは送信素子１３１から放出される赤外線が流入される部分となり、第２ガイド１２６の第１光出入口１２６Ｅは送信素子１３３に赤外線を放出する部分となる。
【００６２】
第２光出入口１２５Ｆ，１２６Ｆは第１発光ダイオード１２１又は第２発光ダイオード１２２から放出される可視光線が流入される部分である。第２光出入口１２５Ｆ，１２６Ｆは第１発光ダイオード１２１又は第２発光ダイオード１２２の上部に離隔されて位置する。より詳しくは、鉛直上方に離隔されて位置する。
【００６３】
第３光出入口１２５Ｇ，１２６Ｇは第１発光ダイオード１２１、第２発光ダイオード１２２から放出される可視光線と送信素子１３１から放出される近距離無線通信のための電磁波（例えば赤外線）を本体１１０の外部に放出する部分であると共に、外部機器２０の通信部２１０からの可視光線又は近距離無線通信のための電磁波（例えば赤外線）が流入される部分である。
【００６４】
より詳しく説明すると、第１ガイド１２５の第３光出入口１２５Ｇは第１発光ダイオード１２１からの可視光線が外部に放出されるか送信素子１３１からの赤外線が外部に放出される通路の役割をする部分であり、第２ガイド１２６の第３光出入口１２６Ｇは第２発光ダイオード１２２からの可視光線が外部に放出されるか外部機器２０からの赤外線が流入される通路の役割をする部分である。
【００６５】
一方、第３ガイド１２７は上下方向に延長される直線状に形成される。よって、第３ガイド１２７は第３発光ダイオード１２３の可視光線のみを案内する。
【００６６】
第３ガイド１２７にも反射層が具備されてもよく、反射層は第３ガイド１２７の上端と下端では省略されてもよい。第３ガイド１２７の上端と下端は可視光線が流入されるか放出される部分で光の出入口の役割をするためである。
【００６７】
以下、充電器１０の作動について説明する。
【００６８】
充電器１０の第１コネクタ１４０が商用電源に連結されて第２コネクタ１５０が電気自動車に連結された後、充電動作が始まると制御部１１２は第１発光ダイオード１２１をターンオンさせる。すると、第１発光ダイオード１２１から照射された緑色の可視光線が第１ガイド１２５の第２案内部１２５Ｃを介して充電器１０の外部に照射される。
【００６９】
より詳しくは、第２光出入口１２５Ｆを介して第２案内部１２５Ｃに入射されてから第３光出入口１２５Ｇを介して外部に放出される。この過程で、第１ガイド１２５に具備される反射層１２５Ｒによって途中に可視光線がガイド１２５の側方に放出されることが制限されるため、最大限の光量を第３光出入口１２５Ｇを介して放出するようになる。
【００７０】
緑色の可視光線の照射によってユーザは現在充電が進行中であることを確認する。充電作動中に充電が完了されると、制御部１１２は第２発光ダイオード１２２をターンオンさせる。この際、第１発光ダイオード１２１はターンオフされる。第２発光ダイオード１２２がターンオンされると、第２発光ダイオード１２２から照射された黄色の可視光線が第２ガイド１２６の第２案内部１２６Ｃを介して充電器１０の外部に照射される。
【００７１】
より詳しくは、第２ガイド１２６の第２光出入口１２６Ｆを介して第２案内部１２６Ｃに入射された後、第３光出入口１２６Ｇを介して外部に放出される。この過程で、第２ガイド１２６に具備される反射層１２６Ｒによって途中に可視光線がガイド１２６の側方に放出されることが制限されるため、最大限の光量を第３光出入口１２６Ｇを介して放出するようになる。
【００７２】
黄色の可視光線の照射によってユーザは充電が完了されたことを確認する。
【００７３】
充電作動中に商用電源から電気自動車への電源供給が遮断された場合、制御部１１２は第３発光ダイオード１２３をオンさせる。すると、第３発光ダイオード１２３から照射された赤色の可視光線が第３ガイド１２７を介して充電器１０の外部に照射される。
【００７４】
この際、第３ガイド１２７には上端と下端を除く他の部分が反射層１２５Ｒによって囲まれ、このような構造によって最大の光量が案内されて外部に放出される。
【００７５】
黄色の可視光線の照査によってユーザは電源の供給が遮断された状態であることを確認する。
【００７６】
一方、充電器１０の状態を確認するか充電器１０のファームウェアをアップグレードする場合、充電器１０と隣接距離に外部機器２０を配置させて充電器１０と外部機器２０が通信を行うようにする。
【００７７】
この際、通信開始の信号は外部機器２０から充電器１０に送信される。即ち、外部機器２０の通信部２１０から通信開始のための赤外線が照射される。
【００７８】
外部機器２０から照射された赤外線は第２ガイド１２６の第２案内部１２６Ｃと、連結部１２６Ｂ及び第１案内部１２６Ａを経て受信素子１３２に到達する。
【００７９】
より詳しくは、赤外線は第３光出入口１２６Ｇを介して第２案内部１２６Ｃに入射された後、第２案内部１２６Ｃ、連結部１２６Ｂ、第１案内部１２６Ａを順番に通過しながら案内されて第１光出入口１２６Ｅを介して受信素子１３２に放出される。
【００８０】
この過程で、第２ガイド１２６に具備される反射層１２６Ｒによって途中に可視光線がガイド１２６の側方に放出されることが制限されるため、最大限の光量を第１光出入口１２６Ｅを介して放出するようになる。
【００８１】
一方、送信素子１３１は充電器１０の現在の状態情報を含む近距離無線通信用電磁波（赤外線）を送信する。送信素子１３１から送信した近距離無線通信用電磁波（赤外線）は第１ガイド１２５の第１案内部１２５Ａ、連結部１２５Ｂ及び第２案内部１２５Ｃを経て外部機器２０に到達する。
【００８２】
より詳しくは、第１光出入口１２５Ｅを介して第１案内部１２５Ａに入射された後、第１案内部１２５Ａ、連結部１２５Ｂ、第２案内部１２５Ｃを順番に通過しながら案内されて第３光出入口１２５Ｇを介して外部に放出される。この過程で、第１ガイド１２５に具備される反射層１２５Ｒによって途中に可視光線がガイド１２５の側方に放出されることが制限されるため、最大限の光量を第３光出入口１２５Ｇを介して放出するようになる。
【００８３】
一方、第１ガイド１２５及び第２ガイド１２６は図５及び図６に示したような形態で提供される。
【００８４】
図５はガイドの他の例の側断面図であって、図５（ａ）は第１ガイドの他の例の側断面図であり、図５（ｂ）は第２ガイドの他の例の側断面図である。また、図６は図５の側断面図であって、図６（ａ）は図５（ａ）の側断面図であり、図６（ｂ）は図５（ｂ）の側断面図である。
【００８５】
図５及び図６に示した第１ガイド１２８は、上下方向に延長される第１案内部１２８Ａと、第１案内部１２８Ａから傾斜して上方に延長される連結部１２８Ｂと、連結部１２８Ｂから上下方向に延長される第２案内部１２８Ｃを含む。より詳しく説明すると、連結部１２８Ｂは第１案内部１２８Ａの上端から傾斜して上方に向かって延長され、第２案内部１２８Ｃは傾斜部１２８Ｂの上端から上方に向かって延長される。
【００８６】
また、第１ガイド１２８は第１案内部１２８Ａと、連結部１２８Ｂ又は第２案内部１２８Ｃのうちいずれか一つから発光部の発光ダイオードを介して延長される第３案内部１２８Ｄを更に含む。より詳しくは、ガイド１２８は第２案内部１２８Ｃの下端から下方に向かって延長される第３案内部１２８Ｄを更に含む。
【００８７】
図５及び図６に示した第２ガイド１２９は、上下方向に延長される第１案内部１２９Ａと、第１案内部１２９Ａから傾斜して上方に延長される連結部１２９Ｂと、連結部１２９Ｂから上下方向に延長される第２案内部１２９Ｃを含む。より詳しく説明すると、連結部１２９Ｂは第１案内部１２９Ａの上端から傾斜して上方に向かって延長され、第２案内部１２９Ｃは傾斜部１２９Ｂの上端から上方に向かって延長される。
【００８８】
また、第２ガイド１２９は第１案内部１２９Ａと、連結部１２９Ｂ又は第２案内部１２９Ｃのうちいずれか一つから発光部の発光ダイオードを介して延長される第３案内部１２９Ｄを更に含む。より詳しくは、第２ガイド１２９は第２案内部１２９Ｃの下端から下方に向かって延長される第３案内部１２９Ｄを更に含む。
【００８９】
第１ガイド１２８と第２ガイド１２９は左右に対称な形状を有する。
【００９０】
よって、第１案内部１２８Ａ，１２９Ａの下端は上述したような送信素子１３１又は受信素子１３２の上部に離隔されて位置し、第３案内部１２８Ｄ，１２９Ｄの下端は第１発光ダイオード１２１又は第２発光ダイオード１２２の上部に離隔されて位置する。より詳しくは、第１案内部１２８Ａ，１２９Ａの下端は送信素子１３１又は受信素子１３２の鉛直上方に位置し、第３案内部１２８Ｄ，１２９Ｄの下端は第１発光ダイオード１２１又は第２発光ダイオード１２２の鉛直上部に位置する。
【００９１】
この際、第１ガイド１２８と第２ガイド１２９のそれぞれの第１案内部１２８Ａ，１２９Ａの下端には第１光出入口１２８Ｅ，１２９Ｅが具備され、第３案内部１２８Ｄ，１２９Ｄの下端には第２光出入口１２８Ｆ，１２９Ｆが具備され、第２案内部１２８Ｃ，１２９Ｃの上端には第３光出入口１２８Ｇ，１２９Ｇが具備される。
【００９２】
そして、それぞれの光出入口１２８Ｅ，１２８Ｆ，１２８Ｇ，１２９Ｅ，１２９Ｆ，１２９Ｇが具備されない残りの部分のうち少なくとも一部には反射層１２８Ｒ，１２９Ｒが具備される。反射層１２８Ｒ，１２９Ｒは光出入口１２８Ｅ，１２８Ｆ，１２８Ｇ，１２９Ｅ，１２９Ｆ，１２９Ｇが具備されない残りの部分の最大限広い領域を囲むことが好ましい。反射層１２８Ｒ，１２９Ｒはガイドの内部から案内される可視光線がガイドの外部に放出されることを遮断するように可視光線をガイドの内側に反射する役割をする。よって、可視光線が光出入口が具備されない領域でガイドの側面に沿って放出されることが制限されるため光伝達の効率が極大化される。
【００９３】
一方、第１ガイド１２８で第１案内部１２８Ａの延長方向と第３案内部１２８Ｄの延長方向は同じであってもよく、第２ガイド１２９で第１案内部１２９Ａの延長方向と第３案内部１２９Ｄの延長方向は同じであってもよい。
【００９４】
以下、図５及び図６に示した例における光伝達経路を説明する。
【００９５】
第１発光ダイオード１２１又は第２発光ダイオード１２２から照射された可視光線は図５及び図６に示したような形態の第１ガイド１２８及び第２ガイド１２９を介して充電器１０の外部に照射される。
【００９６】
より詳しくは、第１ガイド１２８及び第２ガイド１２９それぞれの第２光出入口１２８Ｆ，１２９Ｆを介して第３案内部１２８Ｄに入射された可視光線は、第３案内部１２８Ｆ、１２９Ｆ及び第２案内部１２８Ｃ，１２９Ｃを順番に経て第３光出入口１２８Ｇ，１２９Ｇを介して外部に放出される。この過程で、ガイド１２８に具備される反射層１２８Ｒ，１２９Ｒによって途中に可視光線がガイド１２８の側方に放出されることが制限されるため、最大限の光量を第３光出入口１２８Ｇ，１２９Ｇを介して放出するようになる。
【００９７】
一方、外部機器２０から照射された近距離無線通信用電磁波（赤外線）は第２ガイド１２９の第２案内部１２９Ｃと、連結部１２９Ｂ及び第１案内部１２９Ａを経て受信素子１３２に到達する。
【００９８】
より詳しくは、近距離無線通信用電磁波（赤外線）は、第３光出入口１２９Ｇを介して第２案内部１２９Ｃに入射された後、第２案内部１２９Ｃ、連結部１２９Ｂ、第１案内部１２９Ａを順番に通過しながら案内されて第１光出入口１２９Ｅを介して受信素子１３２に放出される。
【００９９】
この過程で、第２ガイド１２９に具備される反射層１２９Ｒによって途中に可視光線がガイド１２９の側方に放出されることが制限されるため、最大限の光量を第１光出入口１２９Ｅを介して放出するようになる。
【０１００】
一方、送信素子１３１から送信した近距離無線通信用電磁波（赤外線）は第１ガイド１２８の第１案内部１２８Ａ、連結部１２８Ｂ及び第２案内部１２８Ｃを経て外部機器２０に到達する。
【０１０１】
より詳しくは、第１光出入口１２８Ｅを介して第１案内部１２８Ａに入射された後、第１案内部１２８Ａ、連結部１２８Ｂ、第２案内部１２８Ｃを順番に通過しながら案内されて第３光出入口１２８Ｇを介して外部に放出される。この過程で、第１ガイド１２８に具備される反射層１２８Ｒによって途中に可視光線がガイド１２８の側方に放出されることが制限されるため、最大限の光量を第３光出入口１２８Ｇを介して放出するようになる。
【０１０２】
このような本実施例によると、送信素子１３１によって充電器１０は現在の状態情報を外部機器２０に送信することができ、外部機器２０で充電器の診断を行うことができるようになる。
【０１０３】
また、受信素子１３２によって充電器１０は外部機器２０からファームウェアをアップグレードするための情報を受信することができるため、充電器１０のファームウェアのアップグレードが可能になる。
【０１０４】
また、本体１１０の外部に別途のポートが露出されずに赤外線通信などの近距離無線通信を介して外部機器２０と通信することができるため、本体１１０の防水性能を確保するための追加的な構成が不必要な長所があるだけでなく、外部にポートが露出されないため悪意的なユーザが通信のために接近することができない長所がある。
【０１０５】
また、発光部の可視光線を案内するためのガイドが赤外線などの近距離無線通信用電磁波を案内する役割をするため、赤外線を案内するための追加的なガイドが不必要な長所がある。
【０１０６】
また、反射層１２５Ｒ，１２８Ｒが具備して光伝達効率を向上させながらも光出入口を具備することで可視光線の移動が反射層によって制限されなくなる。
【０１０７】
また、第３ガイド部１２８Ｄを更に具備する場合、発光部を構成する発光ダイオードに近い地点にガイド部１２８の下端が位置するようになるため、より多くの量の可視光線がガイド１２８を介して案内されるようになって光伝達効率をより向上させることができる。
【図１】
0005898269.tif 000002
【図２】
0005898269.tif 000003
【図３】
0005898269.tif 000004
【図４】
0005898269.tif 000005
【図５】
0005898269.tif 000006
【図６】
0005898269.tif 000007